(57)【特許請求の範囲】
【請求項１】
上下に配置された包装品（２５，２７）のような多数物品用の取外し、あるいは取付け可能なホルダー（１）であって、各物品を個別に支持する棚状の第１ユニット（８，９，１０）、及び前記第１ユニットそれぞれに対応し、物品を第１ユニット（８，９，１０）に固定するための第２ユニット（１６）を含み、各第１ユニット（８，９，１０）は所望の位置で物品を受け容れ可能で、ホルダー（１）との関係が堅固なものであり、各第２ユニット（１６）は予め規定された本来の位置を有し、この本来の位置から外れるように作用を受けたときに、その本来の位置に戻ろうとする性質を有し、各第２ユニット（１６）はホルダー（１）の延長方向に沿って所望の位置に移動でき、各第２ユニット（１６）が前部と後部とを有するホルダーにおいて、
ホルダー（１）が、金属ロッド（１，１４，１５）のような４つの細長ユニットを有し、これらは互いに平行で、最も外側にある２本のユニットが同一平面内にあり、内側にある２本の介在ユニットが同一平面内にあること、前記２本の介在ユニット（１４，１５）は粗い表面を有すること、第２ユニット（１６）の後部は楕円状で平行な２つの側部を有するものとして形成され、最も外側にある２本のユニット（１）は前記楕円部分をその最外端で通り、介在ユニット（１４，１５）の後端部が前記楕円部分の平行な側部に突き当たることを特徴とする多数物品用ホルダー。
【請求項２】
各第１ユニット（８）がホルダー（１）の延長方向に沿って所望の位置に移動できることを特徴とする請求項１に記載の取外し可能ホルダー。
【請求項３】
ホルダー（１）が壁のような平らな面に取付け可能であることを特徴とする請求項１に記載の取外し可能ホルダー。
【請求項４】
ホルダー（１）が平面上にスタンドのように設置可能であることを特徴とする請求項１に記載の取外し可能ホルダー。
【請求項５】
ホルダー（１）と各第１ユニット（８，１０）及び各第２ユニットが、ワイヤ材料のみから形成されることを特徴とする請求項１に記載の取外し可能ホルダー。
【請求項６】
ホルダー（１）が矩形状に折り曲げられたワイヤからなることを特徴とする請求項１に記載の取外し可能ホルダー。
【請求項７】
フレーム（１）のエンドピース（２，３）が折り曲げられ、フレーム（１）を面に接触させたときフレーム（１）の縦方向の側辺と前記面との間に間隔が保たれることを特徴とする請求項６に記載の取外し可能ホルダー。
【請求項８】
各第１ユニット（８）が実質的にＵ字型に折り曲げられたワイヤからなり、ユニット（８）の自由端がフレーム（１）の縦方向ワイヤ部分に取り付けられていることを特徴とする請求項５に取外し可能ホルダー。
【請求項９】
前記端部が縦方向ワイヤ部分に設けられた孔、または縦方向ワイヤ部分に取り付けられたスリーブにそれぞれ挿入されることを特徴とする請求項８に記載の取外し可能ホルダー。
【請求項１０】
縦方向ワイヤ部分がその取付け点で横方向ワイヤ部分に結合されていることを特徴とする請求項９に記載の取外し可能ホルダー。
【請求項１１】
横方向のワイヤ部分（１１）及び第１ユニット（１６）の自由端が、２本の縦方向ワイヤ部の協働部分に溶接されていることを特徴とする請求項１０に記載の取外し可能ホルダー。
【請求項１２】
フレーム（１）に対して垂直な面内にある介在ワイヤ（１４と１５）が、直線からはずれた、鋸歯あるいは波形の形状を有することを特徴とする請求項１に記載の取外し可能ホルダー。
【請求項１３】
第２ユニットは、ワイヤによって形成されたエンドレスループを含み、エンドレスループは楕円状部分と外側に向いた部分とを有することを特徴とする請求項１に記載の取外し可能ホルダー。
【発明の詳細な説明】
【０００１】
【発明の属する技術分野】
本発明は、物品を載せることができる第１のユニットと当該物品を前記第１のユニットに保持するための第２のユニットとを有する着脱可能なホルダー（保持器具）に関する。こうしたホルダーは、様々な材料から作ることができる。こうしたホルダーは、使い捨て物品を箱から取り出す必要のある病院や様々な貯蔵施設等で必要である。本発明は、一個の使い捨てユニットを取り出す際であってもこれらの箱を一箇所に配置して固定しておく場合に特に有用である。
【０００２】
【課題を解決するための手段】
本発明においては、ホルダーはフレームを含み、これに棚として機能する第１のユニットを取り付ける。フレーム内に上下に複数の棚を設けてもよいし、フレームに沿って別の位置に動かせる棚でもよい。但し、使用中はフレームに対する相対的な位置が動かないことが必要な条件である。第２のユニットは物品を棚に押し付けて保持するものであり、これは必要とする機能に応じてフレームに沿って動かし得るものでもよい。また、第２ユニットは、下方に傾いて、当該ユニットの下に位置する第１ユニット（すなわち、棚）に寄り掛かる位置（休止位置）を取る。第２ユニットは休止位置を有し、手動で当該位置から除くことができるが、手動操作後は、常時本来の位置に戻ろうとする。フレームは壁面に取り付けることを予定しているが、脚部を付けるなどの適当な構成を取れば、当然ながら、適当な作業スペースに立てて置くことも可能である。
【０００３】
上述のタイプのホルダーはワイヤだけを用いて製造するのが特に適当であり、また、簡単であることがわかっている。しかし、本発明のホルダーは、当然ながら、金属板等で形成してもよい。ワイヤによる製造では様々な種類のものを用いることができるが、金属ワイヤが好ましい。種々の寸法を有するワイヤを製造に用いることができる。棚を形成する部分は、例えば、ワイヤを連結部分と２本の脚部とを含むＵ字型に折り曲げたものを含む。この場合、２本の脚部の自由端はフレームに溶接することができる。あるいは、フレームに孔その他の適当な構造を設け、これに前記部分を挿入したり、あるいはフレームに多数のスリーブを設け、棚を構成するＵ字型ワイヤの端部をその中に挿入する。これにより棚とフレームが堅固な構造となる。フレームは一般的にはワイヤを折り曲げて矩形にしたものである。矩形の端部は同じ方向に折り曲げ、フレームを壁面に取り付けたときに、矩形ユニットを形成する縦方向部分が壁面から隔てられるようにする。フレームの両端には孔を有する板を設け、フレームを壁面に取付け可能とする。また、フレームには矩形の縦方向部分に脚部を設け、ベンチ表面のような支持面に当てて置き、フレームの一方のエンドピース（端部構成部材）と脚部によりホルダーがスタンドとして立つようにしてもよい。
【０００４】
矩形のワイヤフレームは、矩形の側辺（短辺）間を通り、フレームのエンドピースに固定される２本の平行ワイヤを有する。これらのワイヤは粗い表面とするか、あるいは、フレームに対して垂直な面内に位置するが、完全に真っ直ぐではなく、波状または鋸歯状のものとする。上述の通り、フレームには多数の孔かスリーブを形成ないし取付けるが、棚を構成するＵ字型部分を受け容れてフレームと棚の間の関係を堅固なものとする。もちろん、Ｕ字型部分の自由端を矩形フレームに溶接してもよい。また、溶接点間に横断的な支え手段を配置してもよい。
【０００５】
第２ユニットは、棚の上に置かれた物品に力を加えて固定するものであり、ホルダーの縦方向のワイヤ間に楕円状の部分を有するとともに、棚上に突出した部分を有するエンドレスループ構造である。２本の縦方向ワイヤは、この楕円状部分の端部を通る。楕円状部分は２つの実質的に平行な部分を有し、これらは、粗い表面を有する２本の介在ワイヤ(interjacent wires) のすぐ後方にある。固定ユニット（クランピングユニット）は、介在ワイヤの粗い表面に沿って上下に動かすことができる。エンドレスワイヤユニットの突出部分は下を向いているが、ワイヤの直径は大きいものではないので、その下の物品に突き当たってバネのように働く。
【０００６】
棚を構成するユニットは、前記のバネ機能を有する下向き屈曲部と同様に、その前縁部において上向きに屈曲した部分を有する。これらの上下に屈曲した部分が、２つのユニット間に置いた物品の前方への動きを妨げるため、物品は前に出ることができない。
【０００７】
上述のホルダーによれば、例えば、使い捨て製品を取り出すための開口部を有する箱をクランプ固定することができる。従って、ホルダーを何らかの方法でしっかり固定すれば、物品を一つずつ取り出す際、箱がずれるなどの問題がなくなる。
【０００８】
【発明の実施の形態】
本発明のさらなる特徴は請求の範囲に開示されている。
図１及び図２に、フレームを形成するワイヤ材料のホルダーを示す。このホルダーは符号１で示されており、矩形であって、２個のエンドピース（端部構成部材）２と３とを有する。ホルダーを平らな面に当てて設置したときに、その縦方向のワイヤ部分が壁面から若干の隔たりをもって位置するように、これらのエンドピース２と３はわずかに内側（後方）に折り曲げられている。ホルダーのエンドピースには、ホルダーを壁に取り付けるためのアタッチメントプレート４，５，６及び７が設けられている。アタッチメントプレートには孔が設けられている。フレームは３つのユニット８，９及び１０を有し、これらはワイヤをＵ字型に折り曲げてなるもので、その自由端はフレーム１の縦方向ワイヤに溶接されている。各棚には２つの上方を向いた部分が設けられており、棚の上に置いた物品は、当該突起部分に当たるとそれ以上は移動することができない。当然ながら、フレーム１の縦方向ワイヤ部分に孔を穿ち空け、これにユニット１０の両端を挿入してもよい。あるいは、スリーブをフレーム１に設け、ユニット１０の端部をこれに挿入して、フレーム１と棚１０との関係が常時堅固なものになるようにしてもよい。フレーム１外枠をなす縦方向ワイヤ部分の内側には、２本の平行な縦方向ワイヤ部分１４と１５が設けられる。これらのワイヤ部分１４と１５は平坦ではない表面を有する。これらは、フレーム１に対して垂直な面内に鋸歯状部または波状部を有してもよい。クランピングユニットを含む第２ユニットは、ワイヤ１６によって形成されたエンドレスループを含み、上下に動かすことができる。エンドレスワイヤは符号２２で示す楕円状部分と符号１９で示す外側に向いた部分とを有する。ワイヤ１６の楕円状部分はその端部の２箇所に実質的に平行な部分を有する。この部分はワイヤ１４と１５の後ろ側に位置し、フレーム１の縦方向ワイヤは、ワイヤのうち楕円状部分２２を通る。楕円状部分とフレーム１の縦方向部分及びワイヤ１４と１５が接触しているため、クランピング部分１６は上下様々な位置に動かすことができる。符号１９で示す部分はその前端部で下向きに屈曲させる。
【０００９】
図５に示すホルダーは、壁面に取り付けることができる態様を示したもので、箱２７を棚１０に載せることができる。バネを放したときに箱２７の上面と係合するようにバネ装置１８を持ち上げてから箱を棚に載せ、これにより箱２７をホルダー内に確実に保持する。さらに、第２の箱２５をホルダー内に載置してもよい。この場合、クランプ装置１７は箱に対して全圧力を加える位置に来るようにしなければならない。
【００１０】
２つの箱２５と２７の中身は（例えば）使い捨て可能な物品であり、これらの物品を開口部２６及び２８から取り出しても箱がずれることはない。最も単純な操作システムは、病院内で使い捨て物品を取り出すためのものである。
【図面の簡単な説明】
【図１】  図１はワイヤ状の材料のみから構成した棚とクランプ手段を有するホルダーを示す。
【図２】  図２は図１のホルダーを概ね前面から見た状態を示す。
【図３】  図３はバネユニットが異なる位置でロックされる機構の説明図である。
【図４】  図４は図３のホルダーに１個の箱を保持した状態を示す。
【図５】  図５は図４と同じホルダーに２個の箱を保持した状態を示す。
【符号の説明】
１  ホルダー
２，３  エンドピース
４〜７  アタッチメントプレート（取り付け板）
８，９，１０  第１ユニット（棚）
１１，１２，１３  横方向ワイヤ
１４，１５  介在ワイヤ
１６，１７，１８  第２ユニット（クランプユニット全体）
１９，２０，２１  第２ユニット（前方突出部）
２２，２３，２４  第２ユニット（楕円状部分）
２５，２７  箱
２６，２８  開口部
【図１】
0004426140.tif 000002
【図２】
0004426140.tif 000003
【図３】
0004426140.tif 000004
【図４】
0004426140.tif 000005
【図５】
0004426140.tif 000006